(57)【特許請求の範囲】
【請求項１】
ドラムのドラム周面に巻き回された記録シートに画像を記録する画像記録装置において、
前記ドラム周面に巻き回された前記記録シートのシート面に前記ドラム周面外側から接触して、前記ドラム周面から前記記録シートを剥離する剥離部材と、前記ドラム周面と前記剥離部材を圧着解除させる剥離部材移動手段とを有することを特徴とする画像記録装置。
【請求項２】
ドラムのドラム周面に巻き回された記録シートに画像を記録する画像記録装置において、前記ドラム周面に巻き回された前記記録シートのシート面に前記ドラム周面外側から接触して、前記ドラム周面から前記記録シートを剥離する剥離部材を有し、前記剥離部材は、前記ドラム周面に巻き回された前記記録シートを、粘着により前記ドラム周面から剥離する剥離部材であることを特徴とする画像記録装置。
【請求項３】
ドラムのドラム周面に巻き回された記録シートに画像を記録する画像記録装置において、前記ドラム周面に巻き回された前記記録シートのシート面に前記ドラム周面外側から接触して、前記ドラム周面から前記記録シートを剥離する剥離部材を有し、前記剥離部材は、前記ドラム周面に巻き回された前記記録シートを、静電吸着により前記ドラム周面から剥離する剥離部材であることを特徴とする画像記録装置。
【請求項４】
前記剥離部材は、前記ドラム周面に巻き回された前記記録シートを、真空吸引により前記ドラム周面から剥離する剥離部材であり、前記剥離部材の真空吸引を解除することにより、前記剥離部材から前記記録シートを剥離させることを特徴とする請求項１に記載の画像記録装置。
【請求項５】
前記剥離部材を前記記録シートの端部に接触させることにより、前記ドラム周面に巻き回された前記記録シートを、前記ドラムから剥離することを特徴とする請求項１〜４のいずれか１項に記載の画像記録装置。
【請求項６】
前記剥離部材は、剥離ローラであることを特徴とする請求項１〜５のいずれか１項に記載の画像記録装置。
【請求項７】
ドラムのドラム周面に巻き回された記録シートに画像を記録する画像記録装置において、
前記ドラム周面に巻き回された前記記録シートに接触して、前記ドラムから前記記録シートを剥離する剥離ローラと、
前記剥離ローラによって剥離され、前記剥離ローラに接触している前記記録シートに接触して、前記剥離ローラから前記記録シートを剥離する剥離補助部材とを有することを特徴とする画像記録装置。
【請求項８】
前記剥離ローラの周面には、前記剥離ローラの回転方向と略平行に溝が設けられており、
前記剥離補助部材は、前記剥離ローラの前記溝に入り込むことのできる凸部を有し、
前記剥離補助部材が、凸部を前記剥離ローラの前記溝に入り込ませて、前記剥離ローラから前記記録シートを剥離することを特徴とする請求項７に記載の画像記録装置。
【請求項９】
前記剥離ローラは櫛形ローラであり、
前記剥離補助部材は、前記櫛形ローラの凹凸と噛み合わさることのできる凹凸を有する櫛形ガイドであることを特徴とする請求項７又は８に記載の画像記録装置。
【請求項１０】
ドラムのドラム周面に巻き回された記録シートに画像を記録する画像記録装置において、
剥離スクイズ兼用ローラを有し、
前記ドラムから、前記ドラム周面に巻き回された前記記録シートを剥離する際には、前記ドラム周面に巻き回された前記記録シートに、前記剥離スクイズ兼用ローラを接触させて、前記記録シートを剥離し、
前記ドラムに記録シートを供給する際には、前記ドラム周面で前記記録シートに、前記剥離スクイズ兼用ローラを接触させて、前記ドラム周面に前記記録シートを密着させることを特徴とする画像記録装置。
【請求項１１】
前記ドラムから、前記ドラム周面に巻き回された前記記録シートを剥離する際には、前記剥離スクイズ兼用ローラの静電吸着によって、前記記録シートを剥離し、
前記ドラムに記録シートを供給する際には、前記剥離スクイズ兼用ローラの静電吸着を解除して、前記ドラム周面に前記記録シートを密着させることを特徴とする請求項１０に記載の画像記録装置。
【請求項１２】
前記ドラムから、前記ドラム周面に巻き回された前記記録シートを剥離する際には、前記剥離スクイズ兼用ローラの真空吸引によって、前記記録シートを剥離し、
前記ドラムに記録シートを供給する際には、前記剥離スクイズ兼用ローラの真空吸引を解除して、前記ドラム周面に前記記録シートを密着させることを特徴とする請求項１０に記載の画像記録装置。
【請求項１３】
前記ドラムから、前記ドラム周面に巻き回された前記記録シートを剥離する際には、前記剥離スクイズ兼用ローラの真空吸引によって、前記記録シートを剥離し、
前記ドラムに記録シートを供給する際には、前記剥離スクイズ兼用ローラ周面から送風を行うことによって、前記ドラム周面に前記記録シートを密着させることを特徴とする請求項１０に記載の画像記録装置。
【請求項１４】
ドラムのドラム周面に巻き回された記録シートに画像を記録する画像記録装置において、
静電吸着によって、前記ドラム周面に巻き回された前記記録シートを剥離する剥離ローラと、
前記剥離ローラと対をなして、前記記録シートを搬送する搬送ローラとを有し、
前記ドラムから、前記ドラム周面に巻き回された前記記録シートを剥離する際には、前記ドラム周面に巻き回された前記記録シートに前記剥離ローラを接触させて、静電吸着によって前記記録シートを剥離し、
前記剥離ローラと前記搬送ローラに、前記記録シートが挟持された際には、前記剥離ローラの静電吸着を解除することを特徴とする画像記録装置。
【請求項１５】
ドラムのドラム周面に巻き回された記録シートに画像を記録する画像記録装置において、
真空吸引によって、前記ドラム周面に巻き回された前記記録シートを剥離する剥離ローラと、
前記剥離ローラと対をなして、前記記録シートを搬送する搬送ローラとを有し、
前記ドラムから、前記ドラム周面に巻き回された前記記録シートを剥離する際には、前記ドラム周面に巻き回された前記記録シートに前記剥離ローラを接触させて、真空吸引によって前記記録シートを剥離し、
前記剥離ローラと前記搬送ローラに、前記記録シートが挟持された際には、前記剥離ローラの真空吸引を解除することを特徴とする画像記録装置。
【請求項１６】
前記搬送ローラは移動可能であり、前記剥離ローラに対して、圧着解除を可能としたことを特徴とする請求項１４又は１５に記載の画像記録装置。
【請求項１７】
ドラムのドラム周面に巻き回されている記録シートに画像を記録する画像記録装置において、
前記ドラム周面に巻き回された前記記録シートに接触して、真空吸引により前記ドラムから前記記録シートを剥離する剥離手段を有し、
前記ドラムは、真空吸引により前記記録シートを前記ドラム周面に巻き回させるものであり、
前記ドラムから前記記録シートを剥離する際には、前記ドラムは前記ドラム周面から送風を行うものであり、
前記ドラムに記録シートを供給する際には、前記剥離手段は前記ドラムに送風を行うものであり、
前記ドラムと、前記剥離手段のどちらか一方が、真空吸引を行っている際は、他方は、送風を行うことを特徴とする画像記録装置。
【請求項１８】
ドラムのドラム周面に巻き回されている記録シートに画像を記録する画像記録装置において、前記ドラム周面に巻き回された前記記録シートに接触して、静電吸着により前記ドラムから前記記録シートを剥離する剥離手段を有し、前記ドラムは、真空吸引により前記記録シートを前記ドラム周面に巻き回させるものであり、
前記剥離手段が静電吸着により前記ドラムから前記記録シートを剥離している際には、前記ドラムは真空吸引を解除することを特徴とする画像記録装置。
【請求項１９】
ドラムのドラム周面に巻き回されている記録シートに画像を記録する画像記録装置において、前記ドラム周面に巻き回された前記記録シートに接触して、前記ドラムから前記記録シートを剥離する剥離手段を有し、
前記ドラムに記録シートを供給する際には、前記剥離手段が前記ドラム周面上の記録シートに対して送風することを特徴とする画像記録装置。
【請求項２０】
前記画像記録装置は、前記記録シートを巻き回した前記ドラムを回転させながら、前記記録シートに走査露光して画像を記録するものであることを特徴とする請求項１〜１９のいずれか１項に記載の画像記録装置。
【請求項２１】
前記画像記録装置は、前記記録シートを巻き回した前記ドラムを回転させながら、前記記録シートに画像を記録するものであり、
画像記録時に、前記ドラムを１分間に３００回転以上させることを特徴とする請求項１〜２０のいずれか１項に記載の画像記録装置。
【発明の詳細な説明】
【０００１】
【発明の属する技術分野】
本発明は、ドラム周面に巻き回された記録シートに画像を記録する画像記録装置に関するものである。
【０００２】
【従来の技術】
従来、記録紙等の記録シートを、記録面を外側にしてドラム周面に巻き回し、その記録紙等の記録シートに画像を記録する画像記録装置が知られている。
【０００３】
例えば、記録シートがハロゲン化銀写真感光材料であって、レーザー露光によって画像の記録を行うものや、記録シートが感熱性紙であって、レーザー露光によって画像の記録を行うもの等が挙げられる。
【０００４】
これらの画像記録装置において、ドラムに巻き回した記録シートを、画像記録後、ドラムから剥離する方法としては、従来から、ドラム周面にドラム回転方向と平行に溝を設けておき、その溝に剥離爪を当接させることにより、ドラムから記録シートを剥離するという方法が用いられている。
【０００５】
また、ドラムに巻き回した記録シートを、ドラムに固定する方法としては、ドラム周面に設けた複数の貫通孔から真空吸引することによって、ドラム周面に記録シートを固定する方法が知られている。また、ドラム周面の記録シート全面が、略均一に吸着されるように、貫通孔同士を連結する溝である吸引連結溝がドラム周面に設けられている。
【０００６】
また、ドラムに記録シートを供給して、巻き回す際に、記録シートの先端のドラム周面上での位置決めをする必要があるが、その位置決めの方法として、従来、ドラム面に押圧したローラによって位置決めをする方法や、ドラムの所定位置に記録シートを挟持する位置決め部材を設けておき、その位置決め部材によって位置決めを行う方法等が知られている。
【０００７】
【発明が解決しようとする課題】
最近、画像記録の時間の短縮を図るために、画像記録装置において、ドラムの回転速度が高速化していく方向にある。また、記録画像の品質を高品質なものとするためには、記録紙等の記録シートをドラム面に凹凸なく固定することが必要となる。
【０００８】
しかしながら、従来の、剥離爪を当接させるための回転方向と平行な溝を設けたドラムを高速回転させると、剥離爪当接用の溝は高速な空気流の通り道となり、その結果、およそ溝の幅で記録シートに膨らみが生じてしまう。したがって、記録シートに凹凸が生じ、画像品質が低下してしまう。更に、記録シートの浮き上がりが、より大きくなると、ドラムの貫通孔等で吸引されている部分の負圧を破壊し、記録シートがドラムから剥がれてしまう恐れもある。
【０００９】
また、ドラムに記録シートを供給する際に、従来からドラムに設けられている吸引連結溝に記録シート先端が入り込んでしまい、記録シートの供給不良が生じるという問題がある。
【００１０】
また、ドラム周面上における記録シート先端の位置決めについては、従来、ローラや、位置決め部材等の先端規制部材をドラムに接触させて行う方法を採るため、構成が煩雑となり、更に組み立て時の調整も必要である。
【００１１】
本発明は、以上のような問題を鑑みて成されたものである。
【００１２】
本発明は、画像記録時等に、記録シートを巻き回したドラムを高速回転させた場合でも、記録シート表面の凹凸の発生、及び記録シートの不用意な浮きを防止し、安定した記録シートのドラムへの固定を実現し、高品質の出力画像を得ることを目的としたものである。
【００１３】
また、本発明は、ドラムへの記録シートの供給不良を防止し、供給を安定して行うことを可能とし、更に、記録シートのドラム周面上での先端位置決めを簡単な構成で確実に実現可能とし、ドラムへの記録シート固定をより確実にすることを目的とするものである。
【００１４】
【課題を解決するための手段】
本発明の目的は以下に示す特許請求の範囲の各請求項により達成される。
【００１５】
〔請求項１〕『ドラムのドラム周面に巻き回された記録シートに画像を記録する画像記録装置において、
前記ドラム周面に巻き回された前記記録シートのシート面に前記ドラム周面外側から接触して、前記ドラム周面から前記記録シートを剥離する剥離部材と、前記ドラム周面と前記剥離部材を圧着解除させる剥離部材移動手段とを有することを特徴とする画像記録装置。』
剥離部材をドラム周面外側から記録シート面に接触させて、剥離部材に記録シートを保持させ、記録シートをドラムから剥離するため、ドラム周面に剥離用溝等の加工をする必要がなく、コスト低減が可能であり、また、ドラム周面の剥離用溝を無くすことにより、ドラム回転時のドラムと記録シートの密着性も向上するため、高品質な仕上がり画像を安定して得ることができると共に、画像記録時に、ドラムからの記録シート剥がれを防止でき、安定性の向上を図ることができる。
【００１６】
特にドラムを高速回転させて画像の記録を行う画像記録装置の場合に有効である。
【００１７】
〔請求項２〕『ドラムのドラム周面に巻き回された記録シートに画像を記録する画像記録装置において、前記ドラム周面に巻き回された前記記録シートのシート面に前記ドラム周面外側から接触して、前記ドラム周面から前記記録シートを剥離する剥離部材を有し、前記剥離部材は、前記ドラム周面に巻き回された前記記録シートを、粘着により前記ドラム周面から剥離する剥離部材であることを特徴とする画像記録装置。』
粘着性の剥離部材で記録シートをドラムから剥離するため、ドラム周面に剥離用溝等の加工をする必要がなく、コスト低減が可能であり、また、ドラム周面の剥離用溝を無くすことにより、ドラム回転時のドラムと記録シートの密着性も向上するため、高品質な仕上がり画像を安定して得ることができると共に、画像記録時に、ドラムからの記録シート剥がれを防止でき、安定性の向上を図ることができる。
【００１８】
特にドラムを高速回転させて画像の記録を行う画像記録装置の場合に有効である。
【００１９】
〔請求項３〕『ドラムのドラム周面に巻き回された記録シートに画像を記録する画像記録装置において、前記ドラム周面に巻き回された前記記録シートのシート面に前記ドラム周面外側から接触して、前記ドラム周面から前記記録シートを剥離する剥離部材を有し、前記剥離部材は、前記ドラム周面に巻き回された前記記録シートを、静電吸着により前記ドラム周面から剥離する剥離部材であることを特徴とする画像記録装置。』
静電吸着を利用した剥離部材で記録シートをドラムから剥離するため、ドラム周面に剥離用溝等の加工をする必要がなく、コスト低減が可能であり、また、ドラム周面の剥離用溝を無くすことにより、ドラム回転時のドラムと記録シートの密着性も向上するため、高品質な仕上がり画像を安定して得ることができると共に、画像記録時に、ドラムからの記録シート剥がれを防止でき、安定性の向上を図ることができる。
【００２０】
特にドラムを高速回転させて画像の記録を行う画像記録装置の場合に有効である。
【００２１】
また、剥離部材からの記録シートの剥離も、静電吸着を解除することにより容易に行うことができる。
【００２２】
〔請求項４〕『前記剥離部材は、前記ドラム周面に巻き回された前記記録シートを、真空吸引により前記ドラム周面から剥離する剥離部材であり、前記剥離部材の真空吸引を解除することにより、前記剥離部材から前記記録シートを剥離させることを特徴とする請求項１に記載の画像記録装置。』
真空吸引を利用した剥離部材で記録シートをドラムから剥離するため、ドラム周面に剥離用溝等の加工をする必要がなく、コスト低減が可能であり、また、ドラム周面の剥離用溝を無くすことにより、ドラム回転時のドラムと記録シートの密着性も向上するため、高品質な仕上がり画像を安定して得ることができると共に、画像記録時に、ドラムからの記録シート剥がれを防止でき、安定性の向上を図ることができる。
【００２３】
特にドラムを高速回転させて画像の記録を行う画像記録装置の場合に有効である。
【００２４】
また、剥離部材からの記録シートの剥離も、真空吸引を解除することにより容易、且つ短時間に行うことができ、剥離時間の短縮を図ることも可能となる。
【００２５】
〔請求項５〕『前記剥離部材を前記記録シートの端部に接触させることにより、前記ドラム周面に巻き回された前記記録シートを、前記ドラムから剥離することを特徴とする請求項１〜請求項４のいずれか１項に記載の画像記録装置。』
剥離部材を記録シート端部に接触させて、剥離することにより、少ないスペースで、スムーズに剥離を行うことが可能であり、剥離後の記録シートの排出路への案内も容易となる。
【００２６】
〔請求項６〕『前記剥離部材は、剥離ローラであることを特徴とする請求項１〜請求項５のいずれか１項に記載の画像記録装置。』
剥離部材を、ローラとすることにより、ドラム周面上の記録シートへの広範囲の押し当てが容易で、高い接触性を実現できる。また、剥離後の記録シートの搬送機構も簡単な機構で実現可能となる。
【００２７】
〔請求項７〕『ドラムのドラム周面に巻き回された記録シートに画像を記録する画像記録装置において、
前記ドラム周面に巻き回された前記記録シートに接触して、前記ドラムから前記記録シートを剥離する剥離ローラと、
前記剥離ローラによって剥離され、前記剥離ローラに接触している前記記録シートに接触して、前記剥離ローラから前記記録シートを剥離する剥離補助部材とを有することを特徴とする画像記録装置。』
ドラムから、剥離ローラを介して、記録シートを剥離するため、ドラム周面に剥離用溝等の加工をする必要がなく、コスト低減が可能であり、また、ドラム周面の剥離用溝を無くすことにより、ドラム回転時のドラムと記録シートの密着性も向上するため、高品質な仕上がり画像を安定して得ることができると共に、画像記録時に、ドラムからの記録シート剥がれを防止でき、安定性の向上を図ることができる。
【００２８】
特にドラムを高速回転させて画像の記録を行う画像記録装置の場合に有効である。
【００２９】
〔請求項８〕『前記剥離ローラの周面には、前記剥離ローラの回転方向と略平行に溝が設けられており、
前記剥離補助部材は、前記剥離ローラの前記溝に入り込むことのできる凸部を有し、
前記剥離補助部材が、凸部を前記剥離ローラの前記溝に入り込ませて、前記剥離ローラから前記記録シートを剥離することを特徴とする請求項７に記載の画像記録装置。』
剥離ローラからの記録シートの剥離が容易かつ、確実であり、且つ、剥離ローラの吸着性能を切り換えなくても、剥離ローラから記録シートを剥離することができる。
【００３０】
〔請求項９〕『前記剥離ローラは櫛形ローラであり、
前記剥離補助部材は、前記櫛形ローラの凹凸と噛み合わさることのできる凹凸を有する櫛形ガイドであることを特徴とする請求項７又は請求項８に記載の画像記録装置。』
剥離ローラを櫛形ローラとすることで、剥離ローラの周面に溝などの特殊加工をする必要がなく、また、剥離部材として櫛形ローラと逆パターンの櫛形ガイドを使用することにより、剥離部材の待避機能を必要としないため、コスト低減が可能である。また、ドラムに当接して記録シートを剥離する、剥離部材を使用する場合に比して耐久性に優れる。
【００３１】
また、剥離ローラからの記録シートの剥離が容易かつ、確実であり、且つ、剥離ローラの吸着性能を切り換えなくても、剥離ローラから記録シートを剥離することができる。
【００３２】
〔請求項１０〕『ドラムのドラム周面に巻き回された記録シートに画像を記録する画像記録装置において、
剥離スクイズ兼用ローラを有し、
前記ドラムから、前記ドラム周面に巻き回された前記記録シートを剥離する際には、前記ドラム周面に巻き回された前記記録シートに、前記剥離スクイズ兼用ローラを接触させて、前記記録シートを剥離し、
前記ドラムに記録シートを供給する際には、前記ドラム周面で前記記録シートに、前記剥離スクイズ兼用ローラを接触させて、前記ドラム周面に前記記録シートを密着させることを特徴とする画像記録装置。』
剥離ローラとスクイズローラを兼用させため、構成の簡略化が可能となり、ドラムに記録シートを確実に密着させることができ、仕上がり画像の品質をさらに向上させることが可能となる。
【００３３】
〔請求項１１〕『前記ドラムから、前記ドラム周面に巻き回された前記記録シートを剥離する際には、前記剥離スクイズ兼用ローラの静電吸着によって、前記記録シートを剥離し、
前記ドラムに記録シートを供給する際には、前記剥離スクイズ兼用ローラの静電吸着を解除して、前記ドラム周面に前記記録シートを密着させることを特徴とする請求項１０に記載の画像記録装置。』
剥離ローラとスクイズローラを兼用させため、構成の簡略化が可能となり、ドラムに記録シートを確実に密着させることができ、仕上がり画像の品質をさらに向上させることが可能となる。
【００３４】
また、静電吸着によって制御可能であるので、制御が容易である。
【００３５】
〔請求項１２〕『前記ドラムから、前記ドラム周面に巻き回された前記記録シートを剥離する際には、前記剥離スクイズ兼用ローラの真空吸引によって、前記記録シートを剥離し、
前記ドラムに記録シートを供給する際には、前記剥離スクイズ兼用ローラの真空吸引を解除して、前記ドラム周面に前記記録シートを密着させることを特徴とする請求項１０に記載の画像記録装置。』
剥離ローラとスクイズローラを兼用させため、構成の簡略化が可能となり、ドラムに記録シートを確実に密着させることができ、仕上がり画像の品質をさらに向上させることが可能となる。
【００３６】
また、真空吸引によって制御可能であるので、制御が容易である。
【００３７】
〔請求項１３〕『前記ドラムから、前記ドラム周面に巻き回された前記記録シートを剥離する際には、前記剥離スクイズ兼用ローラの真空吸引によって、前記記録シートを剥離し、
前記ドラムに記録シートを供給する際には、前記剥離スクイズ兼用ローラ周面から送風を行うことによって、前記ドラム周面に前記記録シートを密着させることを特徴とする請求項１０に記載の画像記録装置。』
剥離ローラとスクイズローラを兼用させため、構成の簡略化が可能となり、ドラムに記録シートを確実に密着させることができ、仕上がり画像の品質をさらに向上させることが可能となる。
【００３８】
また、真空吸引によって制御可能であるので、制御が容易である。
【００３９】
また、ドラムへの記録シートの巻き付け時には前記剥離ローラから送風を行うことにより、ドラムに記録シートを巻き付ける、より顕著なスクイズ効果を得ることができる。
【００４０】
このことにより、簡単な構成でドラム巻き付け時の記録シートのヨレ等を防止できる。
【００４１】
〔請求項１４〕『ドラムのドラム周面に巻き回された記録シートに画像を記録する画像記録装置において、
静電吸着によって、前記ドラム周面に巻き回された前記記録シートを剥離する剥離ローラと、
前記剥離ローラと対をなして、前記記録シートを搬送する搬送ローラとを有し、
前記ドラムから、前記ドラム周面に巻き回された前記記録シートを剥離する際には、前記ドラム周面に巻き回された前記記録シートに前記剥離ローラを接触させて、静電吸着によって前記記録シートを剥離し、
前記剥離ローラと前記搬送ローラに、前記記録シートが挟持された際には、前記剥離ローラの静電吸着を解除することを特徴とする画像記録装置。』
剥離ローラに対向した搬送ローラにより、ドラムから剥離した記録シートの搬送を簡単な機構で実現でき、ローラで挟持されてから剥離ローラの吸着を解除するため、確実な搬送が可能となる。
【００４２】
また、静電吸着によって制御可能であるので、制御が容易である。
【００４３】
〔請求項１５〕『ドラムのドラム周面に巻き回された記録シートに画像を記録する画像記録装置において、
真空吸引によって、前記ドラム周面に巻き回された前記記録シートを剥離する剥離ローラと、
前記剥離ローラと対をなして、前記記録シートを搬送する搬送ローラとを有し、
前記ドラムから、前記ドラム周面に巻き回された前記記録シートを剥離する際には、前記ドラム周面に巻き回された前記記録シートに前記剥離ローラを接触させて、真空吸引によって前記記録シートを剥離し、
前記剥離ローラと前記搬送ローラに、前記記録シートが挟持された際には、前記剥離ローラの真空吸引を解除することを特徴とする画像記録装置。』
剥離ローラに対向した搬送ローラにより、ドラムから剥離した記録シートの搬送を簡単な機構で実現でき、ローラで挟持されてから剥離ローラの吸着を解除するため、確実な搬送が可能となる。
【００４４】
また、真空吸引によって制御可能であるので、制御が容易である。
【００４５】
〔請求項１６〕『前記搬送ローラは移動可能であり、前記剥離ローラに対して、圧着解除を可能としたことを特徴とする請求項１４又は請求項１５に記載の画像記録装置。』
剥離ローラと搬送ローラの圧着・圧着解除が可能であるため、ドラムより剥離した記録シートの端部を確実に搬送可能とし、更に、記録シートの端部の折れを防止できると共に、ドラムからの記録シート剥離時に剥離ローラで吸着する記録シートの位置（記録シート端部から吸着する部分までの寸法）に自由度が増す。
【００４６】
〔１７〕『ドラムのドラム周面に巻き回されている記録シートに画像を記録する画像記録装置において、
前記ドラム周面に巻き回された前記記録シートに接触して、真空吸引により前記ドラムから前記記録シートを剥離する剥離手段を有し、
前記ドラムは、真空吸引により前記記録シートを前記ドラム周面に巻き回させるものであり、
前記ドラムから前記記録シートを剥離する際には、前記剥離手段が真空吸引により前記記録シートを保持した状態で、前記ドラムの真空吸引を解除し、前記剥離手段から前記記録シートを剥離させる際には、前記剥離手段の真空吸引を解除することを特徴とする画像記録装置。』
剥離手段が前記記録シートを保持した後にドラムの真空吸引を解除することにより、ドラムから剥離手段への記録シートの受渡しが確実に行え、ドラムが真空吸引を解除することにより記録シートのずれを規制できる。更に、剥離手段から排出経路への搬送も記録シートの斜行を防止できるため安定して確実に行うことができる。
【００４７】
〔１８〕『前記剥離手段は、真空吸引により前記ドラムから前記記録シートを剥離するものであり、
前記ドラムと、前記剥離手段のどちらか一方が、真空吸引を行っている際は、他方は、真空吸引を解除することを特徴とする１７に記載の画像記録装置。』
剥離部材の真空吸引と、ドラムの真空吸引を排他的に制御することにより、制御系の構成を簡略化できる。
【００４８】
また、ドラムから剥離手段への記録シートの受渡しが確実に行え、ドラムが真空吸引を解除することにより記録シートのずれを規制できる。更に、剥離手段から排出経路への搬送も記録シートの斜行を防止できるため安定して確実に行うことができる。
【００４９】
〔請求項１７〕『ドラムのドラム周面に巻き回されている記録シートに画像を記録する画像記録装置において、前記ドラム周面に巻き回された前記記録シートに接触して、真空吸引により前記ドラムから前記記録シートを剥離する剥離手段を有し、前記ドラムは、真空吸引により前記記録シートを前記ドラム周面に巻き回させるものであり、前記ドラムから前記記録シートを剥離する際には、前記ドラムは前記ドラム周面から送風を行うものであり、前記ドラムに記録シートを供給する際には、前記剥離手段は前記ドラムに送風を行うものであり、前記ドラムと、前記剥離手段のどちらか一方が、真空吸引を行っている際は、他方は、送風を行うことを特徴とする画像記録装置。』
剥離部材の真空吸着及び送風と、ドラムの真空吸着及び送風を排他的に制御することで、制御系の構成を簡略化できる。
【００５０】
また、ドラムから剥離手段への記録シートの受渡しが確実に行え、ドラムが真空吸引を解除することにより記録シートのずれを規制できる。更に、ドラムからの送風により、記録シートをドラム面より浮上させて搬送することが可能であるから、記録シート排出時にドラムを搬出速度に同期させて回転させなくても、低搬送力で搬送可能となり、記録シートの排出安定性も増す。
【００５１】
また、ドラムへの記録シートの巻き付け時には、前記剥離部材から送風される状態となるため、記録シートをドラムに押しつけるスクイズ効果を得ることも可能となる。このことにより、簡単な構成でドラム巻き付け時の記録シートのヨレ等を防止できる。
【００５２】
〔請求項１８〕『ドラムのドラム周面に巻き回されている記録シートに画像を記録する画像記録装置において、前記ドラム周面に巻き回された前記記録シートに接触して、静電吸着により前記ドラムから前記記録シートを剥離する剥離手段を有し、前記ドラムは、真空吸引により前記記録シートを前記ドラム周面に巻き回させるものであり、前記剥離手段が静電吸着により前記ドラムから前記記録シートを剥離している際には、前記ドラムの真空吸引を解除することを特徴とする画像記録装置。』
剥離手段が静電吸着により前記記録シートを保持した後にドラムの真空吸引を解除することにより、ドラムから剥離手段への記録シートの受渡しが確実に行え、ドラムが真空吸引を解除することにより記録シートのずれを規制できる。更に、剥離手段から排出経路への搬送も記録シートの斜行を防止できるため安定して確実に行うことができる。
【００５３】
〔請求項１９〕『ドラムのドラム周面に巻き回されている記録シートに画像を記録する画像記録装置において、
前記ドラム周面に巻き回された前記記録シートに接触して、前記ドラムから前記記録シートを剥離する剥離手段を有し、
前記ドラムに記録シートを供給する際には、前記剥離手段が前記ドラム周面上の記録シートに対して送風することを特徴とする画像記録装置。』
また、ドラムへの記録シートの巻き付け時には前記剥離ローラから送風を行うことにより、ドラムに記録シートを巻き付ける、より顕著なスクイズ効果を得ることができる。
【００５４】
このことにより、簡単な構成でドラム巻き付け時の記録シートのヨレ等を防止できる。
【００５５】
〔２２〕『ドラムのドラム周面に巻き回されている記録シートに画像を記録する画像記録装置において、
前記ドラム周面に巻き回された前記記録シートに接触して、真空吸引により前記ドラムから前記記録シートを剥離する剥離手段を有し、
前記剥離手段によって、前記ドラムから前記記録シートを剥離する際には、前記剥離手段が真空吸引により前記記録シートを保持した状態で、前記ドラム周面から送風し、前記剥離手段から前記記録シートを剥離させる際には、前記剥離手段の真空吸引を解除することを特徴とする画像記録装置。』
ドラムから剥離手段への記録シートの受渡しが確実に行え、ドラムが真空吸引を解除することにより記録シートのずれを規制できる。更に、ドラムからの送風により、記録シートをドラム面より浮上させて搬送することが可能であるから、記録シート排出時にドラムを搬出速度に同期させて回転させなくても、低搬送力で搬送可能となり、記録シートの排出安定性も増す。
【００５６】
〔２３〕『ドラムのドラム周面に巻き回された記録シートに画像を記録する画像記録装置において、
前記ドラムは、真空吸引により前記記録シートを前記ドラム周面に巻き回させるものであり、
前記ドラムは、前記ドラム周面上に設けられ、前記記録シートを吸引する複数の貫通孔と、
前記複数の貫通孔同士を前記ドラム周面上で連結する、前記ドラム周面上に設けられた溝である吸引連結溝とを有しており、
前記記録シートの前記ドラムへの供給方向先端の辺に対して斜めの前記吸引連結溝が前記ドラム周面上に設けられていることを特徴とする画像記録装置。』
ドラムの吸引連結溝を記録シートの供給方向に対して斜めに設けることにより、記録シートの吸引固定性能を損なうことなく、且つ、複雑な機構を設けることなく、記録シート供給時の供給不良を防止でき、画像記録装置の運転安定性を著しく向上させることができる。
【００５７】
〔２４〕『少なくとも、前記記録シートの供給方向先端部が、前記記録シートを前記ドラムに供給する際に接触する前記ドラム周面部分に、
前記記録シートの前記ドラムへの供給方向先端の辺に対して斜めの前記吸引連結溝が設けられていることを特徴とする２３に記載の画像記録装置。』
ドラムの加工コストを抑えることが可能となる。
【００５８】
〔２５〕『ドラムのドラム周面に巻き回された記録シートに画像を記録する画像記録装置において、
前記ドラムは、真空吸引により前記記録シートを前記ドラム周面に巻き回させるものであり、
前記ドラムは、前記ドラム周面上に設けられ、前記記録シートを吸引する複数の貫通孔と、
前記複数の貫通孔同士を前記ドラム周面上で連結する、前記ドラム周面上に設けられた溝である吸引連結溝とを有しており、
前記記録シートの前記ドラムへの供給方向先端の辺と略平行な前記吸引連結溝の前記記録シートの供給方向下流側の側面が、ドラム周面外側の前記吸引連結溝の溝幅がドラム周面内側の前記吸引連結溝の溝幅に比して広くなるように傾斜している形状であることを特徴とする画像記録装置。』
記録シート供給時に先端が接触する吸引連結溝の断面側面が、傾斜を有しているため、吸引連結溝に記録シート先端が入り込んでも、逃げることができ、引っ掛かることが無くなる。従って、単純な吸引連結溝パターンであっても、記録シートの吸引固定性能を損なうことなく、且つ、複雑な機構を設けることなく、記録シート供給時の供給不良を防止でき、画像記録装置の運転安定性を著しく向上させることができる。
【００５９】
〔２６〕『少なくとも、前記記録シートの供給方向先端部が、前記記録シートを前記ドラムに供給する際に接触する前記ドラム周面部分に、
前記記録シートの供給方向下流側の側面が、ドラム周面外側の溝幅がドラム周面内側の溝幅に比して広くなるように傾斜している形状である、前記記録シートの前記ドラムへの供給方向先端の辺と略平行な前記吸引連結溝を設けることを特徴とする２５に記載の画像記録装置。』
ドラムの加工コストを抑えることが可能となる。
【００６０】
〔２７〕『ドラムのドラム周面に巻き回された記録シートに画像を記録する画像記録装置において、
前記ドラムは、真空吸引により前記記録シートを前記ドラム周面に巻き回させるものであり、
前記ドラムは、前記ドラム周面上に設けられ、前記記録シートを吸引する複数の貫通孔と、
前記複数の貫通孔同士を前記ドラム周面上で連結する、前記ドラム周面上に設けられた溝である吸引連結溝とを有しており、
少なくとも、前記記録シートの供給方向先端部が、前記記録シートを前記ドラムに供給する際に接触する前記ドラム周面部分には、前記記録シートの前記ドラムへの供給方向先端の辺と平行な前記吸引連結溝を設けないことを特徴とする画像記録装置。』
記録シートをドラムに供給する際に、記録シートの供給方向先端部が接触するドラム周面部分には、記録シートの供給方向先端の辺と平行な吸引連結溝を設けないことにより、記録シートの吸引固定性能を損なうことなく、且つ、複雑な機構を設けることなく、記録シート供給時の供給不良を防止でき、画像記録装置の運転安定性を著しく向上させることができる。
【００６１】
〔２８〕『前記記録シートの供給方向先端部が、前記記録シートを前記ドラムに供給する際に接触する前記ドラム周面部分には、前記吸引連結溝を設けないことを特徴とする２７に記載の画像記録装置。』
記録シートをドラムに供給する際に、記録シートの供給方向先端部が接触するドラム周面部分には、吸引連結溝を設けないことにより、記録シートの吸引固定性能を損なうことなく、且つ、複雑な機構を設けることなく、記録シート供給時の供給不良を防止でき、画像記録装置の運転安定性を著しく向上させることができる。
【００６２】
〔２９〕『ドラムのドラム周面に巻き回された記録シートに画像を記録する画像記録装置において、
少なくとも前記記録シートの供給方向先端部を、前記ドラム周面に粘着させて、前記記録シートの前記ドラムへの供給方向先端部の前記ドラム周面における位置決めを行うことを特徴とする画像記録装置。』
ドラムを高速回転させて画像を記録する場合に、記録シートを確実にドラム面上に固定する必要があるが、真空吸引方式のみで、安定性を追求すると大型の高価な真空ポンプが必要となる。また、ドラム回転時の記録シートの剥がれは、主に記録シート端部から起こるのが一般的である。この為、記録シート端部のドラム面上への固定を粘着性物質で補助することにより、真空ポンプを小型にすることが可能となった。このことにより、装置コストの大幅な低減と、騒音の低減が可能となった。また、記録シートの適用サイズもより小サイズのものまで、確実に固定可能となった。
【００６３】
〔３０〕『ドラムのドラム周面に巻き回された記録シートに画像を記録する画像記録装置において、
前記記録シートの供給方向先端部が、前記記録シートを前記ドラムに供給する際に接触する前記ドラム周面位置に、先端位置決め用の溝を前記記録シートの供給方向に対して垂直方向に前記ドラム周面に設けたことを特徴とする画像記録装置。』
ドラム面上の記録シート端部が接する部分に、記録シートの供給方向と垂直な溝を構成し、その溝に記録シート先端を当接させることによって、複雑な先端規制機構を設けることなく、低コストで記録シート先端の位置決めを可能とし、ドラム高速回転時も固定された記録シートに悪影響を及ぼさず安定した記録シート固定を維持できる。更に、記録シート排出時も、記録シートの排出を妨げる先端規制部材がないため、簡単な機構で記録シートの排出が可能となる。
【００６４】
また、記録シートの交換速度の向上を図ることが可能になる。
【００６５】
〔請求項２０〕『前記画像記録装置は、前記記録シートを巻き回した前記ドラムを回転させながら、前記記録シートに走査露光して画像を記録するものであることを特徴とする請求項１〜請求項１９のいずれか１項に記載の画像記録装置。』
画像記録を光を照射することにより行うので、画像記録時にドラム周面上の記録シートに物体が接触することがなく、物体の接触により回転により生じる画像シート表面の凹凸を修正されることがないので、より、ドラム周面上での記録シートの平面性というものが重要になり、本発明の、画像記録時においてもドラム周面上での記録シートの平面性を良好に保つ、という効果がより顕著なものとなる。
【００６６】
〔請求項２１〕『前記画像記録装置は、前記記録シートを巻き回した前記ドラムを回転させながら、前記記録シートに画像を記録するものであり、
画像記録時に、前記ドラムを１分間に３００回転以上させることを特徴とする請求項１〜請求項２０のいずれか１項に記載の画像記録装置。』
画像記録時のドラムの回転が高速回転であるので、画像記録する際のドラム回転時に、ドラム周面の剥離用溝に空気が入り込んで、画像記録シート表面に凹凸が生じる可能性がより高い。したがって、ドラム周面の剥離用溝を無くすことにより、ドラム回転時のドラムと記録シートの密着性を向上させ、高品質な仕上がり画像を安定して得ることができるという効果、及び、画像記録時に、ドラムからの記録シート剥がれを防止でき、安定性の向上を図ることができるという効果が顕著なものとなる。
【００６７】
〔用語の説明〕
本発明でいう、「櫛形ローラ」とは、１本の軸に、小さなローラが複数所定間隔置きに設けられているものである。軸の部分をローラの溝とみなすこともできる。
【００６８】
本発明でいう、「記録シート」とは、薄膜状の画像を記録しうる媒体をいう。例えば、普通紙や感熱紙、カラーペーパー、モノクロペーパー等のハロゲン化銀写真感光材料等を挙げることができる。
【００６９】
【発明の実施の形態】
以下に本発明に関する実施の形態の例を示すが、本発明はこれらに限定されない。また、以下の実施形態は、本発明の好ましい例を示すもので、本発明の用語の意義や技術的範囲を限定するものではない。
【００７０】
始めに、図２２を用いて、本実施形態に係る画像記録装置について説明する。図２２は本発明に係る画像記録装置の実施形態の１例を示した概略構成図である。尚、本画像記録装置は実施形態６に係る記録紙供給機構及び記録紙剥離機構を有するものである。
【００７１】
本画像記録装置１００は、記録シートとしてカラー写真感光材料である記録紙を用い、３色の光により画像を潜像として記録紙に記録し、その後現像することにより画像を記録した記録紙１０７を得るものである。
【００７２】
本画像記録装置１００は、露光部１０１と、現像部１０２を有している。露光部１０１は、画像未記録のウェブ状の記録紙を収容しておく記録紙カートリッジ１０４と、記録紙に画像記録用の青色、緑色、赤色のレーザ光を照射するレーザ部１０３と、画像記録時に記録紙を巻き回して回転させるドラム１とを有している。
【００７３】
本画像記録装置１００は、記録紙に記録する、デジタルデータ化された画像情報を記憶部（図示せず）に記憶しておく。画像記録時に、記録紙カートリッジ１０４から記録紙を引き出し、給紙経路１０５に沿ってドラム１へと搬送される。
【００７４】
記録紙先端がドラム１に接触すると、兼用ポンプ２３が稼働し、ドラム１が周面に設けられた複数の吸引孔から真空吸引を開始して、矢印方向に回転する。それと共に、カッター１０８で、ドラム１周面に巻き回せることのできる所定の大きさに、記録紙を切断する。更に、給紙時には、真空吸引剥離ローラ２５（当該真空吸引剥離ローラについての詳細は実施形態６において説明する）が、兼用ポンプ２３の稼働により送風を周面に設けられた複数の吸引孔から行いながら、ドラム１周面の記録紙を圧着して、スクイズローラの役割を果たす。
【００７５】
ドラム１が記録紙を真空吸引しながら回転し、真空吸引剥離ローラ２５が記録紙を圧着して送風しながら回転することにより、所定の大きさに切断された記録紙が、表面に凹凸を生じることな巻き回される。
【００７６】
ドラム１周面に記録紙を巻き回した後、真空吸引剥離ローラ２５をドラム１から離す。そして、記録紙を巻き回した状態でドラム１を１分間あたり２０００回転の高速回転させながら、記憶部に記憶された画像情報に基づいて、レーザ部１０３によって、青色、緑色、赤色のレーザ光をドラム１周面の記録紙に照射する。この３色のレーザ光の照射によって、記録紙に潜像が形成される。
【００７７】
画像記録後、ドラム１の回転速度を遅くする。そして、兼用ポンプ２３を制御し、ドラム１周面からは送風を行いながら回転し、真空吸引剥離ローラ２５は真空吸引しドラム１周面の記録紙を圧着しながら回転することにより、潜像を形成された記録紙がドラム１周面から剥離される。剥離された記録紙は、真空吸引剥離ローラ２５と搬送ローラ２１によって、排出経路１０６に沿って、露光部１０１から排出され、現像部１０２へと搬送される。
【００７８】
そして、ドラム１周面から剥離された、潜像を形成された記録紙は、現像部１０２（内部構造は図示せず）において、発色現像処理、漂白定着処理、安定化処理、乾燥処理を施され、記憶部に記憶された画像情報に基づいた画像を記録した記録紙１０７となって、画像記録装置１００外へと排出される。
【００７９】
尚、画像記録装置１００に、画像を読み込んで画像情報をデジタルデータ化するスキャナ部を設けるようにしてもよい。
【００８０】
（実施形態１）
次に図１、２を用いて、本実施形態に係る画像記録装置のドラムについて説明する。図１は、画像記録装置のドラムの斜視図である。図２は、本実施形態に係るドラム周面の展開図である。
【００８１】
ドラム１は、画像記録を行う際に、その周面に記録紙を巻き回し回転させるための、円筒状のものである。画像記録を行う際には、ドラム周面に記録紙を巻き回し、記録紙を巻き回したドラムを回転させ、画像記録手段によって、ドラムを回転させながらその記録紙に画像を記録することにより行う。
【００８２】
本実施形態において、ドラムに巻き回すために記録紙を給紙する際の給紙方向は図１、２に示す矢印の方向であり、ドラムの柱軸方向と直交した方向である。
【００８３】
そして、ドラム１周面には、給紙の際に、記録紙の先端が引っ掛かることで、記録紙の先端位置決めができる１本の先端位置決め溝２が、柱軸方向、つまり給紙方向とは直交する方向に設けられている。
【００８４】
そして、ドラム１周面に記録紙を巻き回した際に、真空吸引をして記録紙を安定してドラム周面に固定させるための吸引孔４が、ドラム１周面全体に一定のパターンで多数設けられている。本実施形態においては、吸引孔４は円周方向と柱軸方向とに整列して設けられている。
【００８５】
更に、吸引孔４からの真空吸引力が、ドラム周面全体により均一に伝わるように、吸引孔４と吸引孔４とを連結する溝である吸引連結溝５Ａ、５Ｂ、５Ｃがドラム周面に設けられている。
【００８６】
通常、ドラム１周面上の吸引連結溝は、ドラム１の円周方向に吸引孔４と吸引孔４とを連結した吸引連結溝５Ａと、当該吸引連結溝５Ａに直交した、ドラム１の柱軸方向に吸引孔４と吸引孔４とを連結した吸引連結溝５Ｂとから成っているが、本実施形態においては、ドラムに巻き回すために記録紙を給紙する際に、記録紙がドラム周面１に接触する部分３には、ドラム１の柱軸方向の吸引連結溝５Ｂを設けずに、代わりに給紙方向に対して斜めの吸引連結溝５Ｃを設けるものである。
【００８７】
この構成により、ドラム１に給紙する際に、柱軸方向の吸引連結溝５Ｂに記録紙先端が引っ掛かることにより起きる給紙不良が防止できる。
【００８８】
尚、記録紙を給紙する際に、記録紙がドラム周面１に接触する部分３だけでなく、ドラム１周面全体に柱軸方向の吸引連結溝５Ｂを設けずに、給紙方向に対して斜めの吸引連結溝５Ｃを設けるようにしてもよい。
【００８９】
（実施形態２）
次に図１、３、４、５、６を用いて、本実施形態に係る画像記録装置のドラムについて説明する。図１は、画像記録装置のドラムの斜視図である。図３は、本実施形態に係るドラム周面の展開図である。図４は、本実施形態に係る記録紙を給紙する際に、記録紙が接触するドラム周面位置に設けた、ドラムの柱軸方向の吸引連結溝の断面図である。図５は、通常のドラムの柱軸方向の吸引連結溝の断面図である。図６は、本実施形態に係る記録紙を給紙する際に、記録紙が接触するドラム周面分に設けた、ドラムの柱軸方向の吸引連結溝の他の例の断面図である。
【００９０】
本実施形態は吸引連結溝５Ａ、５Ｂ、５Ｄのパターンが実施形態１と異なるものであり、他の構成は実施形態１と同様であるので詳細は省略する。
【００９１】
通常、ドラム１周面上の吸引連結溝は、ドラム１の円周方向に吸引孔４と吸引孔４とを連結した吸引連結溝５Ａと、当該吸引連結溝５Ａに直交した、ドラム１の柱軸方向に吸引孔４と吸引孔４とを連結した吸引連結溝５Ｂとから成っている。柱軸方向に設けた吸引連結溝５Ｂの断面は、図５に示すように、給紙方向上流側側面及び給紙方向下流側側面６Ｂ共に、ドラム１周面に対して直角であり、仮に、給紙時に記録紙先端がこの吸引連結溝５Ｂに入り込んだ場合は、記録紙先端が引っ掛かってしまい、給紙不良となる。
【００９２】
しかし、本実施形態においては、ドラムに巻き回すために記録紙を給紙する際に、記録紙がドラム周面１に接触する部分３の、ドラム１の柱軸方向の吸引連結溝５Ｄの断面は、図４に示すように、給紙方向上流側側面はドラム１周面に対して直角であるが、給紙方向下流側側面６Ａは、溝の上方が広くなるように傾斜しているものである。したがって、給紙時に記録紙先端がこの吸引連結溝５Ｄに入り込んだ場合も、記録紙先端は吸引連結溝５Ｄに引っ掛かることなく、再び溝の外に出やすいため、給紙不良が起こることがない。
【００９３】
また、図６に示す吸引連結溝５Ｄの給紙方向下流側側面６Ｃのように、側面を傾斜させて更に面取りを行うと、給紙時に記録紙先端がこの吸引連結溝５Ｄに入り込んだ場合に、更に溝の外に出やすくなるため、給紙不良が一層防止でき好ましい。
【００９４】
尚、記録紙を給紙する際に、記録紙がドラム周面１に接触する部分３だけでなく、ドラム１周面の柱軸方向の吸引連結溝全てを、給紙方向下流側側面６Ａを傾斜させた吸引連結溝５Ｄとしてもよい。
【００９５】
（実施形態３）
次に図１、７を用いて、本実施形態に係る画像記録装置のドラムについて説明する。図１は、画像記録装置のドラムの斜視図である。図７は、本実施形態に係るドラム周面の展開図である。
【００９６】
本実施形態は吸引連結溝５Ａ、５Ｂのパターンが実施形態１と異なるものであり、他の構成は実施形態１と同様であるので詳細は省略する。
【００９７】
通常、ドラム１周面上の吸引連結溝は、ドラム１の円周方向に吸引孔４と吸引孔４とを連結した吸引連結溝５Ａと、当該吸引連結溝５Ａに直交した、ドラム１の柱軸方向に吸引孔４と吸引孔４とを連結した吸引連結溝５Ｂとから成っているが、本実施形態においては、ドラムに巻き回すために記録紙を給紙する際に、記録紙がドラム周面１に接触する部分３には、吸引連結溝を設けないことを特徴とする。その代わり、記録紙を給紙する際に、記録紙がドラム周面１に接触する部分３の吸引孔４を他のドラム１周面に比して多く設けることにより、真空吸引力の均一性を保つ構成となっている。
【００９８】
この構成により、ドラム１に給紙する際に、柱軸方向の吸引連結溝５Ｂに記録紙先端が引っ掛かることにより起きる給紙不良が防止できる。
【００９９】
尚、実施形態１〜３のどれにおいても、図８に示すように、ドラム１周面に先端位置決め溝２を設ける代わりに、記録紙をドラム１周面に巻き回す際に、記録紙先端が位置するドラム周面部分、及び記録紙後端が位置するドラム周面部分に粘着性部材７Ａ、７Ｂを設け、粘着性部材７Ａ、７Ｂによって、粘着させることで記録紙の先端位置決めを行うようにしてもよい。
【０１００】
尚、先端位置決め溝と、粘着性部材とを併用するようにしてもよい。
【０１０１】
以上が、本発明に係るドラム周面の実施形態の例である。
【０１０２】
続いて、本発明に係る画像記録装置における、ドラムへの記録紙の給紙及びドラムからの記録紙の剥離の機構について、幾つかの実施形態を以下に示す。
【０１０３】
本実施形態で用いられるドラムは特に限定されないが、実施形態１〜３のいずれかに示したドラムであることが好ましい。
【０１０４】
尚、以下の実施形態では、記録紙の先端位置決めの手段として、粘着性部材ではなく、先端位置決め溝を設けたドラムを用いるものとする。
【０１０５】
（実施形態４）
図９、１０、１１を用いて、本実施形態に係る画像記録装置のドラム周辺の構成、及びドラムへの記録紙の給紙及びドラムからの記録紙の剥離の機構について説明する。図９は、ドラムへの給紙の機構の実施形態の１例を示した概略説明図である。図１０は、ドラムからの記録紙の剥離の機構の実施形態の１例を示した概略説明図である。図１１は、本実施形態に係る剥離ローラと剥離ガイドの上面図である。
【０１０６】
まず、ドラム周りの構成について以下に説明する。
【０１０７】
ドラム１の形状や役割については実施形態１〜３で説明したので詳細は省略する。そのドラム１には、ドラム１周面の複数の吸引孔４から真空吸引及び送風を行うために、ドラム用ポンプ１４が通気管１３Ａを通じて接続されている。また、ドラム用ポンプ１４は、ポンプ制御手段１６に接続しており、ポンプ制御手段１６によって真空吸引及び送風を制御される。
【０１０８】
そして、ドラム１周面に巻き回された記録紙８に接触して、ドラム１周面に巻き回された記録紙８をドラム１から剥離するための剥離部材である剥離ローラ９が、ドラム１に対向して回転可能に設けられている。剥離ローラ９は図１１に示すような、１本のシャフト１８に複数の小さなローラが所定間隔おきに設けられた櫛形ローラである。ローラ表面の材質はシリコン等の粘着性物質でできている。従って、この剥離部材（剥離ローラ９）は、表面に記録紙を粘着させることで、ドラムからの記録紙の剥離を行うものである。尚、剥離ローラ９のシャフト１８部分を剥離ローラ９の溝とみなすことができる。また、シャフト１８は中空であり、シャフト表面からローラ表面まで貫通する、送風を行うための小さな送風孔８０が複数設けられている。
【０１０９】
そして、剥離ローラ９周面の複数の送風孔８０から送風を行うために、剥離ローラ用ポンプ１５が通気管１３Ｂを通じて接続されている。剥離ローラ用ポンプ１５は、ドラム用ポンプ１４が接続しているものと同一のポンプ制御手段１６に接続しており、ポンプ制御手段１６によって送風を制御される。
【０１１０】
また、この剥離ローラ９には、剥離ローラ９を移動させる移動手段（図示せず）が設けられており、剥離ローラ９を水平方向に移動させて、ドラム１周面の記録シートに剥離ローラ９を圧着したり、ドラム１から剥離ローラ９を離したりすることが可能である。剥離ローラ９の移動手段には、移動制御装置１７が接続されており、その移動が制御される。
【０１１１】
剥離ローラ９の下部には、剥離ローラ９の溝に当接して、すなわち、剥離ローラ９のシャフト１８部分に当接して、剥離ローラ９によってドラム１から剥離された記録紙８を剥離ローラ９から剥離するための剥離補助部材である剥離ガイド１０が設けられている。剥離ガイド１０は、図１１に示すように、剥離ガイド１０先端の形状は、櫛形ローラである剥離ローラ９と逆パターンの凹凸であり、剥離ローラ９の凹凸に丁度入り込んで、噛み合わさった形で剥離ローラ９に当接することが可能である。
【０１１２】
剥離ガイド１０には、剥離ガイド１０の後端を軸として先端を持ち上げて、先端を剥離ローラ９に噛み合わせるための、移動手段（図示せず）が設けられている。剥離ガイド１０には、剥離ローラ９が接続しているものと同一の移動制御手段１７に接続しており、移動制御手段１７によってその移動を制御される。
【０１１３】
そして、剥離ガイド１０の下方には、剥離ガイド１０によって剥離ローラ９から剥離された記録紙を案内する記録紙ガイド１１が設けられており、その先端には、記録紙を排出経路へと搬送するための搬送ローラ１２が設けられている。
【０１１４】
以上がドラム周りの構成についての説明である。次に、ドラムへの記録紙の給紙の機構について、図９に基づいて説明する。
【０１１５】
給紙を行う旨の信号を、給紙手段（図示せず）が受けると、給紙手段によって、矢印で示す給紙方向でドラム１へと記録紙８が給紙される。
【０１１６】
給紙する際に、ドラム周面１の先端位置決め溝２に記録紙８先端が入り込んで、ドラム周面上での記録紙の先端の位置決めが行われる。尚、ドラムの回転位置は検出可能になっており、給紙する際のドラム１の先端位置決め溝２の位置が常に一定になるように、ドラム１が回転して停止するように設定されている。したがって、給紙時に、記録紙の先端位置決めが安定して行えるようになっている。
【０１１７】
記録紙８の先端がドラム周面１の先端位置決め溝２に入り込んで、ドラム周面上での記録紙の先端の位置決めが行われると、ドラム用ポンプ１４は真空吸引を行うように、そして、剥離ローラ用ポンプ１５は送風を行うように、ポンプ制御手段１６が制御する。
【０１１８】
ドラム用ポンプ１４が真空吸引を行うことで、ドラム周面上の吸引孔及び吸引連結溝からの吸引力（図９において、ドラム内の矢印として図示）によって記録紙８先端部はドラム１周面に凹凸を生じずに密着する。また、剥離ローラ用ポンプ１５が送風（図９において、剥離ローラからの矢印として図示）を行うことで、剥離ローラ９表面の送風孔８０からの送風により、記録紙８はドラム１周面に押しつけられ、記録紙８のドラム１周面への密着性がより良好になる。
【０１１９】
このようにして、記録紙８の先端部をドラム１周面上に密着させ、続いて、ドラム１を矢印方向に回転させることにより、記録紙８がドラム１周面に密着して巻き回される。ドラム１の真空吸引力と、剥離ローラ９からの送風力により、記録紙８表面に凹凸を生じることなく良好にドラム１周面に密着して巻き回すことができる。以上のような機構で、ドラムへの記録紙の給紙が行われる。ドラム１に記録紙８が給紙され、巻き回された後、記録紙８に画像記録が行われる。
【０１２０】
尚、給紙が終わっても、ドラム用ポンプ１４は真空吸引を続けるように、一方、剥離ローラ用ポンプ１５は送風を停止するように、ポンプ制御手段１６が制御する。
【０１２１】
画像記録は、記録紙８を巻き回したドラム１を１分間あたり２０００回転の高速回転をさせながら、レーザーで記録紙８に露光を行うことにより行う。回転速度は、画像記録の迅速化の観点から、１分間当たり２０００回転以上であることが好ましいが、１分間当たり１０００回転以上であってもよく、又は１分間当たり３００回転以上であってもよい。本実施形態において、ドラム１には、ドラム回転方向と平行の記録紙剥離用の溝を設ける必要がないため、高速回転により、記録紙剥離用の溝に空気が入り込んで膨らみを生じることが無く、高速回転であってもドラム周面に巻き回した記録紙の平面性を良好に保つことができ、高品質の画像記録が可能である。
【０１２２】
尚、ドラム回転方向と平行の溝として吸引連結溝がドラム周面に設けられていても、それは吸引孔と吸引孔とを連結し、真空吸引力をドラム周面全体に伝達するための溝であるので、高速回転時にそこに空気が入り込んでも、吸引されてしまうため、膨らみを生じることはなく、高速回転時にドラム周面に巻き回した記録紙の平面性を損なうことはない。そして、画像記録後、画像を記録した記録紙８をドラム１周面から剥離して排出経路へと導く。
【０１２３】
続いて、ドラム１からの記録紙８の剥離の機構について、図１０に基づいて説明する。
【０１２４】
画像記録後、記録紙剥離を行う旨の信号を、ドラム回転制御手段（図示せず）が受けると、記録紙８を巻き回した状態で、記録紙先端が位置する先端位置決め溝２が、丁度剥離ローラ９に対向する位置に来るように、ドラム１が回転して停止するように設定されている。これにより剥離時に、記録紙の先端位置決めが安定して行えるようになっている。
【０１２５】
記録紙８先端が位置する先端位置決め溝２が、丁度剥離ローラ９に対向する位置に来るように、ドラム１が回転して停止すると、続いて移動制御手段１７が剥離ローラ９を水平に移動しドラム１に圧着させるように、移動手段を制御する。ドラム周面上の記録紙先端が、剥離ローラ９に対向する位置にあるので、剥離ローラ９をドラム１に圧着させるように水平に移動していくと、ドラム周面上の記録紙先端が剥離ローラ９に接触し圧着される。剥離ローラ９は表面が粘着性を有するので、ドラム周面上の記録紙先端に圧着することで、ドラム周面に巻き回されていた記録紙先端を剥離ローラ９が保持することができる。
【０１２６】
移動制御手段１７は、剥離ローラ９を移動させるとともに、先端部に櫛形ローラである剥離ローラ９の凹凸と逆パターンの凹凸を有する剥離ガイド１０が、剥離ガイド１０が後端を軸として先端を持ち上げられて、剥離ローラ９の溝に当接するように、即ち、櫛形ローラの凹凸に噛み合わされる。
【０１２７】
剥離ローラ９が水平移動して記録紙８を圧着し、剥離ローラ９表面に記録紙先端を保持すると、ポンプ制御手段１６がドラム用ポンプ１４の真空吸引を解除して、続いてドラム用ポンプ１４に排気を行わせて送風するように制御する。ドラム１周面の吸引孔からの送風（図１０において、ドラム内の矢印として図示）により、ドラム１周面に巻き回されていた記録紙８は浮き上がり、記録紙を剥離しやすくなるとともに、剥離速度に合わせて、ドラム１を回転させる必要がなくなる。尚、ドラム１からの送風は、剥離ローラ９表面に記録紙先端を保持した後すぐではなく、剥離ローラ９表面に記録紙先端を保持し少し回転して、記録紙８を少しドラム１から剥離した後で行うようにしてもよい。
【０１２８】
剥離ローラ９が記録紙先端を表面に粘着して保持した後、剥離ローラ９を矢印方向に回転させることで、ドラム１周面から記録紙８を剥離していく。また、それに伴いドラム１も矢印方向に回転する。剥離ローラ９に粘着された記録紙８は、剥離ローラ９に当接した剥離ガイド１０によって、すぐに剥離ローラ９から剥離され、剥離ガイド１０とそれに対向する位置にある記録紙ガイド１１とによって、記録紙ガイド１１先端に設けられた搬送ローラ１２へと案内され、矢印方向で回転する搬送ローラ１２によって記録紙８が挟持され、排出路へと搬送される。
【０１２９】
ドラム周面１から記録紙８を剥離し終わると、ポンプ制御手段１６はドラム用ポンプ１４の排気を解除するように制御する。また、ドラム１、剥離ローラ９、搬送ローラ１２の回転も停止し、移動制御手段１７は、剥離ガイド１０の先端部を下げて剥離ローラ９と離し、剥離ローラ９をドラム１から離れた位置まで移動させるように制御する。
【０１３０】
以上のような機構で、ドラムからの記録紙の剥離が行われる。
【０１３１】
（実施形態５）
次に、図１２、１３、１４を用いて、画像記録装置のドラム周辺の構成、及びドラムへの記録紙の給紙及びドラムからの記録紙の剥離の機構の、他の実施形態について説明する。図１２は、ドラムへの給紙の機構の実施形態の１例を示した概略説明図である。図１３は、ドラムからの記録紙の剥離する際の剥離開始の機構を示した概略説明図である。図１４は、ドラムからの記録紙の剥離の機構の実施形態の１例を示した概略説明図である。
【０１３２】
まず、ドラム周りの構成について以下に説明する。
【０１３３】
ドラム１の形状や役割については実施形態１〜３で説明したので詳細は省略する。そのドラム１には、ドラム１周面の複数の吸引孔４から真空吸引及び送風を行うために、ドラム用ポンプ１４が通気管１３Ａを通じて接続されている。また、ドラム用ポンプ１４は、ポンプ制御手段１６に接続しており、ポンプ制御手段１６によって真空吸引及び送風を制御される。
【０１３４】
そして、ドラム１周面に巻き回された記録紙８に接触して、静電吸着によってドラム１周面に巻き回された記録紙８をドラム１から剥離するための剥離部材である静電吸着剥離ローラ２０が、ドラム１に対向して離れた位置に回転可能に設けられている（ドラム１と静電吸着剥離ローラ２０が離れた状態は、図示せず）。静電吸着剥離ローラ２０は、実施形態４の剥離ローラのような櫛形ローラではなく、ドラムと柱軸方向長さが略等しい、１本の円柱状のローラである。また、表面には送風用の送風孔が複数設けられている。
【０１３５】
静電吸着剥離ローラ２０には、静電荷発生手段（図示せず）が設けられており、その静電荷発生手段には静電吸着制御手段２２が接続されている。静電吸着制御手段２２が、静電吸着剥離ローラ２０の静電荷発生手段に静電荷を発生させるように制御することで、静電吸着剥離ローラ２０表面に静電吸着力を発生させる。静電吸着剥離ローラ２０は、静電吸着剥離ローラ２０表面に静電吸着力が発生した状態で、ドラム１周面の記録紙に接触させることで、ドラムからの記録紙の剥離を行うものである。
【０１３６】
そして、静電吸着剥離ローラ２０周面の複数の送風孔から送風を行うために、静電吸着剥離ローラ用ポンプ８１が通気管１３Ｂを通じて接続されている。静電吸着剥離ローラ用ポンプ８１は、ドラム用ポンプ１４が接続しているものと同一のポンプ制御手段１６に接続しており、ポンプ制御手段１６によって送風を制御される。
【０１３７】
また、この静電吸着剥離ローラ２０には移動手段（図示せず）が設けられており、静電吸着剥離ローラ２０を水平方向に移動して、ドラム１に静電吸着剥離ローラ２０を圧着したり、ドラム１から静電吸着剥離ローラ２０を離したりすることが可能である。静電吸着剥離ローラ２０の移動手段には、移動制御手段１９が接続されており、その移動が制御される。
【０１３８】
静電吸着剥離ローラ２０の下方には、静電吸着剥離ローラ２０とで記録紙を挟持して排出経路へと搬送する搬送ローラ２１が、静電吸着剥離ローラ２０と離れた位置に、対向して設けられている。
【０１３９】
搬送ローラ２１には、移動手段（図示せず）が設けられており、搬送ローラ２１上下方向に移動して、静電吸着剥離ローラ２０に搬送ローラ２１を圧着したり、静電吸着剥離ローラ２０から搬送ローラ２１を離したりすることが可能である。搬送ローラ２１移動手段は、静電吸着剥離ローラ２０が接続しているものと同一の移動制御手段１９に接続しており、移動制御手段１９によってその移動を制御される。
【０１４０】
以上がドラム周りの構成についての説明である。次に、ドラムへの記録紙の給紙の機構について、図１２に基づいて説明する。
【０１４１】
給紙を行う旨の信号を、給紙手段（図示せず）が受けると、給紙手段によって、矢印で示す給紙方向でドラム１へと記録紙８が給紙される。
【０１４２】
給紙する際に、ドラム周面１の先端位置決め溝２に記録紙８先端が入り込んで、ドラム周面上での記録紙の先端の位置決めが行われる。尚、ドラムの回転位置は検出可能になっており、給紙する際のドラム１の先端位置決め溝２の位置が常に一定になるように、ドラム１が回転して停止するように設定されている。したがって、給紙時に、記録紙の先端位置決めが安定して行えるようになっている。
【０１４３】
記録紙８の先端がドラム周面１の先端位置決め溝２に入り込んで、ドラム周面上での記録紙の先端の位置決めが行われると、ドラム用ポンプ１４は真空吸引を行うように、そして、静電吸着剥離ローラ用ポンプ８１は送風を行うように、ポンプ制御手段１６が制御する。
【０１４４】
また、静電吸着剥離ローラ２０を水平に移動させてドラム１周面の記録紙８を圧着させるように移動制御手段１９が制御する。尚、このとき静電吸着剥離ローラ２０の静電吸着力は発生させない。
【０１４５】
ドラム用ポンプ１４が真空吸引を行うことで、ドラム周面上の吸引孔及び吸引連結溝からの吸引力（図１２において、ドラム内の矢印として図示）によって記録紙８先端部はドラム１周面に凹凸を生じずに密着する。また、静電吸着剥離ローラ２０によるドラム１周面の記録紙８の圧着、及び、静電吸着剥離ローラ２０表面の送風孔からの送風（図１２において、静電吸着剥離ローラ内の矢印として図示）により、記録紙８はドラム１周面に押しつけられ、記録紙８のドラム１周面への密着性がより良好になる。
【０１４６】
このようにして、記録紙８の先端部をドラム１周面上に密着させ、続いて、ドラム１及び静電吸着剥離ローラ２０を矢印方向に回転させることにより、記録紙８がドラム１周面に密着して巻き回される。ドラム１の真空吸引力と、静電吸着剥離ローラ２０の圧着力と、静電吸着剥離ローラ２０からの送風力により、記録紙８表面に凹凸を生じることなく良好にドラム１周面に密着して巻き回すことができる。以上のような機構で、ドラムへの記録紙の給紙が行われる。ドラム１に記録紙８が給紙され、巻き回された後、記録紙８に画像記録が行われる。
【０１４７】
尚、給紙が終わっても、ドラム用ポンプ１４は真空吸引を続けるように、一方、静電吸着剥離ローラ用ポンプ８１は送風を停止するように、ポンプ制御手段１６が制御する。そして、給紙が終わると、静電吸着剥離ローラ２０を水平移動させて、ドラム１から離すように移動制御手段１９が静電吸着剥離ローラ２０の移動手段を制御する。
【０１４８】
画像記録は、記録紙８を巻き回したドラム１を１分間あたり２０００回転の高速回転をさせながら、レーザーで記録紙８に露光を行うことにより行う。本実施形態において、ドラム１には、ドラム回転方向と平行の記録紙剥離用の溝を設ける必要がないため、高速回転により、記録紙剥離用の溝に空気が入り込んで膨らみを生じることが無く、高速回転であってもドラム周面に巻き回した記録紙の平面性を良好に保つことができ、高品質の画像記録が可能である。
【０１４９】
尚、ドラム回転方向と平行の溝として吸引連結溝がドラム周面に設けられていても、それは吸引孔と吸引孔とを連結し、真空吸引力をドラム周面全体に伝達するための溝であるので、高速回転時にそこに空気が入り込んでも、吸引されてしまうため、膨らみを生じることはなく、高速回転時にドラム周面に巻き回した記録紙の平面性を損なうことはない。そして、画像記録後、画像を記録した記録紙８をドラム１周面から剥離して排出経路へと導く。
【０１５０】
続いて、ドラム１からの記録紙８の剥離開始の機構について、図１３に基づいて説明する。
【０１５１】
画像記録後、記録紙剥離を行う旨の信号を、ドラム回転制御手段（図示せず）が受けると、記録紙８を巻き回した状態で、記録紙先端が位置する先端位置決め溝２が、丁度静電吸着剥離ローラ２０に対向する位置に来るように、ドラム１が回転して停止するように設定されている。これにより剥離時に、記録紙の先端位置決めが安定して行えるようになっている。
【０１５２】
記録紙８先端が位置する先端位置決め溝２が、丁度静電吸着剥離ローラ２０に対向する位置に来るように、ドラム１が回転して停止すると、続いて静電吸着制御手段２２が静電吸着剥離ローラ２０表面に静電吸着力を発生させるように制御し、更に、移動制御手段１９が静電吸着剥離ローラ２０を水平に移動しドラム１に圧着させるように、移動手段を制御する。ドラム周面上の記録紙先端が、静電吸着剥離ローラ２０に対向する位置にあるので、静電吸着剥離ローラ２０をドラム１に圧着させるように水平に移動していくと、ドラム周面上の記録紙先端が静電吸着剥離ローラ２０に接触し圧着される。静電吸着剥離ローラ２０は表面が静電吸着力を有している状態であるので、ドラム周面上の記録紙先端に圧着することで、ドラム周面に巻き回されていた記録紙先端を静電吸着剥離ローラ２０が保持することができる。
【０１５３】
静電吸着剥離ローラ２０が水平移動して記録紙８を圧着し、静電吸着力により静電吸着剥離ローラ２０表面に記録紙先端を保持すると、ポンプ制御手段１６がドラム用ポンプ１４の真空吸引を解除して、続いてドラム用ポンプ１４に排気を行わせて送風（図１３において、ドラム内の矢印として図示）するように制御する。ドラム１周面の吸引孔からの送風により、ドラム１周面に巻き回されていた記録紙８は浮き上がり、記録紙を剥離しやすくなるとともに、剥離速度に合わせて、ドラム１を回転させる必要がなくなる。（図は、送風の開始時を示しているので、まだ記録紙８がドラム１周面から浮き上がっていない）尚、ドラム１からの送風は、静電吸着剥離ローラ２０表面に記録紙先端を保持した後すぐではなく、静電吸着剥離ローラ２０表面に記録紙先端を保持し少し回転して、記録紙８を少しドラム１から剥離した後で行うようにしてもよい。
【０１５４】
静電吸着剥離ローラ２０が記録紙先端を表面に静電吸着力により保持した後、剥離ローラ９を矢印方向に回転させることで、ドラム１からの記録紙の剥離が開始される。また、それに伴いドラム１も矢印方向に回転する。
【０１５５】
続いて、ドラム１からの記録紙８の剥離の機構について、図１４に基づいて説明する。
【０１５６】
静電吸着剥離ローラ２０表面に静電吸着力により、記録紙８先端を保持し、静電吸着剥離ローラ２０が所定角度回転し、おおよそ、記録紙先端が静電吸着剥離ローラ２０の下部に位置したときに、移動制御手段１９が搬送ローラ２１を上方向に移動させ、搬送ローラ２１を静電吸着剥離ローラ２０に圧着させるように制御する。それにより、記録紙８が静電吸着剥離ローラ２０と搬送ローラ２１によって挟持される。
【０１５７】
搬送ローラ２１が移動して、静電吸着剥離ローラ２０上の記録紙８に圧着すると、静電吸着制御手段２２が、静電吸着剥離ローラ２０表面の静電荷の発生を停止するように制御する。これにより、静電吸着剥離ローラ２０表面の静電吸着力がなくなるため、静電吸着剥離ローラ２０から記録紙８を離しやすくなり、静電吸着剥離ローラ２０と搬送ローラ２１によって挟持して搬送することが可能となる。
【０１５８】
ドラム１が送風（図１４において、ドラム内の矢印として図示）しながら矢印方向に回転し、静電吸着剥離ローラ２０と搬送ローラ２１とが、記録紙８を挟持して矢印方向に回転することで、記録紙８はドラム１周面から剥離され、排出経路へと搬送される。
【０１５９】
ドラム周面１から記録紙８を剥離し終わると、ポンプ制御手段１６はドラム用ポンプ１４の排気を解除するように制御する。また、ドラム１、静電吸着剥離ローラ２０、搬送ローラ２１の回転も停止し、移動制御手段１９は、搬送ローラ２１を下方向に移動させて静電吸着剥離ローラ２０と離し、静電吸着剥離ローラ２０をドラム１から離れた位置まで水平方向に移動させるように制御する。
【０１６０】
以上のような機構で、ドラムからの記録紙の剥離が行われる。
【０１６１】
（実施形態６）
次に、図１５〜２０を用いて、画像記録装置のドラム周辺の構成、及びドラムへの記録紙の給紙及びドラムからの記録紙の剥離の機構の、他の実施形態について説明する。図１５は、ドラムへの給紙の機構の実施形態の１例を示した概略説明図である。図１６は、ドラムからの記録紙の剥離する際の剥離開始の機構を示した概略説明図である。図１７は、ドラムからの記録紙の剥離の機構の実施形態の１例を示した概略説明図である。図１８は、本実施形態で用いる真空吸引剥離ローラの正面図である。図１９は、本実施形態で用いるポンプの概略構成図とポンプの吸気排気の切替え板の概略図であり、図２０は当該ポンプの吸気排気を切り換えた状態を示した概略図である。
【０１６２】
まず、ドラム周りの構成について以下に説明する。
【０１６３】
ドラム１の形状や役割については実施形態１〜３で説明したので詳細は省略する。そのドラム１には、ドラム１周面の複数の吸引孔４から真空吸引及び送風を行うために、ドラム真空吸引剥離ローラ兼用ポンプ２３（以下「兼用ポンプ」と略称する）が通気管１３Ｃを通じて接続されている。また、兼用ポンプ２３は、ポンプ制御手段２４に接続しており、ポンプ制御手段２４によって真空吸引及び送風を制御される。
【０１６４】
そして、ドラム１周面に巻き回された記録紙８に接触して、真空吸引によってドラム１周面に巻き回された記録紙８をドラム１から剥離するための剥離部材である真空吸引剥離ローラ２５が、ドラム１に対向して離れた位置に回転可能に設けられている（ドラム１と真空吸引剥離ローラ２５が離れた状態は、図示せず）。
【０１６５】
また、真空吸引剥離ローラ２５には移動手段（図示せず）が設けられており、真空吸引剥離ローラ２５を水平方向に移動して、ドラム１に真空吸引剥離ローラ２５を圧着したり、ドラム１から真空吸引剥離ローラ２５を離したりすることが可能である。真空吸引剥離ローラ２５の移動手段には、移動制御手段１９が接続されており、その移動が制御される。
【０１６６】
真空吸引剥離ローラ２５は、図１８に示すように、実施形態４の剥離ローラのような櫛形ローラではなく、ドラムと柱軸方向長さが略等しい、１本の円柱状の中空のローラである。また、表面には真空吸引及び送風用の中空のローラ内部まで貫通した複数の貫通孔２６及び貫通孔同士を連結するローラ表面に設けられた溝である吸引連結溝２７が設けられている。
【０１６７】
そして、真空吸引剥離ローラ２５周面の複数の貫通孔２６から真空吸引及び送風を行うために、真空吸引剥離ローラ２５は、ドラム１が接続しているポンプと同一の兼用ポンプ２３に通気管１３Ｄを通じて接続されている。そして、前述したように兼用ポンプ２３は、ポンプ制御手段２４に接続しており、ポンプ制御手段２４によって真空吸引及び送風を制御される。
【０１６８】
ここで、本実施形態で用いる兼用ポンプについて図１９、２０に基づいて説明する。
【０１６９】
本実施形態で用いる兼用ポンプ２３は、切替え板３１を回転させることのみによって、ドラム１と真空吸引剥離ローラ２５の吸気と排気を切替え可能としたものである。
【０１７０】
兼用ポンプ２３は、ポンプ本体２８と、吸気を行う吸気ホース２９と、排気を行う排気ホース３０と、ドラム１と真空吸引剥離ローラ２５の吸気と排気を切替える切替え板３１と、を有しており、切替え板３１を通じてドラム１と繋がっている通気管１３Ｃと、真空吸引剥離ローラ２５と繋がっている通気管１３Ｄと接続されている。
【０１７１】
例えば、記録紙剥離開始時には、ドラム１からは送風を、真空吸引剥離ローラ２５では吸引を行う必要があるので、切替え板３１を回転軸３２を中心に回転して、図１９（ａ）（ｂ）に示すような状態にする。
【０１７２】
この状態でポンプ本体２８が稼働すると、切替え板３１の吸気ホース２９が繋がっている吸気口３４と、真空吸引剥離ローラ２５と繋がっている通気管１３Ｄとが合っているので、真空吸引剥離ローラ２５では吸引が行われる。
【０１７３】
一方、切替え板３１の排気ホース３０が繋がっている排気口３３と、ドラム１と繋がっている通気管１３Ｃとが合わされるので、ドラム１では送風が行われる。
【０１７４】
次に、記録紙供給時には、ドラム１では吸引を、真空吸引剥離ローラ２５では送風を行う必要があるが、切替え板３１を回転軸３２を中心に回転して、図２０（ａ）（ｂ）に示すような状態にすることで、容易にドラム１と、真空吸引剥離ローラ２５の、送風と吸引を入れ換えることができる。
【０１７５】
この状態でポンプ本体２８が稼働すると、切替え板３１の吸気ホース２９が繋がっている吸気口３４と、ドラム１と繋がっている通気管１３Ｃとが合っているので、ドラム１では吸引が行われる。
【０１７６】
一方、切替え板３１の排気ホース３０が繋がっている排気口３３と、真空吸引剥離ローラ２５と繋がっている通気管１３Ｄとが合わされるので、真空吸引剥離ローラ２５では送風が行われる。
【０１７７】
このように、本兼用ポンプ２３は、切替え板３１を回転させることのみで、容易にドラム１と真空吸引剥離ローラ２５の吸気と排気を切替え可能とし、ドラム１が送風しているときには、真空吸引剥離ローラ２５は吸引し、逆にドラム１が吸引しているときには、真空吸引剥離ローラ２５は送風できるように１つのポンプでしたものである。
【０１７８】
そして、兼用ポンプ２３は、切替え板３１の回転の制御をポンプ制御手段２４で行うものである。
【０１７９】
以上が、兼用ポンプ２３の説明である。
【０１８０】
そして、真空吸引剥離ローラ２５の下方には、真空吸引剥離ローラ２５とで記録紙を挟持して排出経路へと搬送する搬送ローラ２１が、真空吸引剥離ローラ２５と離れた位置に、対向して設けられている。
【０１８１】
搬送ローラ２１には、移動手段（図示せず）が設けられており、搬送ローラ２１上下方向に移動して、真空吸引剥離ローラ２５に搬送ローラ２１を圧着したり、真空吸引剥離ローラ２５から搬送ローラ２１を離したりすることが可能である。搬送ローラ２１の移動手段は、真空吸引剥離ローラ２５が接続しているものと同一の移動制御手段１９に接続しており、移動制御手段１９によってその移動を制御される。
【０１８２】
以上がドラム周りの構成についての説明である。次に、ドラムへの記録紙の給紙の機構について、図１５に基づいて説明する。
【０１８３】
給紙を行う旨の信号を、給紙手段（図示せず）が受けると、給紙手段によって、矢印で示す給紙方向でドラム１へと記録紙８が給紙される。
【０１８４】
給紙する際に、ドラム周面１の先端位置決め溝２に記録紙８先端が入り込んで、ドラム周面上での記録紙の先端の位置決めが行われる。尚、ドラムの回転位置は検出可能になっており、給紙する際のドラム１の先端位置決め溝２の位置が常に一定になるように、ドラム１が回転して停止するように設定されている。したがって、給紙時に、記録紙の先端位置決めが安定して行えるようになっている。
【０１８５】
記録紙８の先端がドラム周面１の先端位置決め溝２に入り込んで、ドラム周面上での記録紙の先端の位置決めが行われると、ドラム１が真空吸引を行い、そして、真空吸引剥離ローラ２５からは送風を行うように、ポンプ制御手段２４が兼用ポンプ２３を制御する。
【０１８６】
また、真空吸引剥離ローラ２５を水平に移動させてドラム１周面の記録紙８を圧着させるように移動制御手段１９が制御する。
【０１８７】
兼用ポンプ２３がドラム１に真空吸引を行わせることで、ドラム周面上の吸引孔及び吸引連結溝からの吸引力（図１５において、ドラム内の矢印として図示）によって記録紙８先端部はドラム１周面に凹凸を生じずに密着する。また、真空吸引剥離ローラ２５によるドラム１周面の記録紙８の圧着、及び、兼用ポンプ２３が真空吸引剥離ローラ２５に送風（図１５において、真空吸引剥離ローラ内の矢印として図示）を行わせることにより、記録紙８はドラム１周面に押しつけられ、記録紙８のドラム１周面への密着性がより良好になる。
【０１８８】
このようにして、記録紙８の先端部をドラム１周面上に密着させ、続いて、ドラム１及び真空吸引剥離ローラ２５を矢印方向に回転させることにより、記録紙８がドラム１周面に密着して巻き回される。ドラム１の真空吸引力と、真空吸引剥離ローラ２５の圧着力と、真空吸引剥離ローラ２５からの送風力により、記録紙８表面に凹凸を生じることなく良好にドラム１周面に密着して巻き回すことができる。以上のような機構で、ドラムへの記録紙の給紙が行われる。ドラム１に記録紙８が給紙され、巻き回された後、記録紙８に画像記録が行われる。
【０１８９】
そして、給紙が終わると、真空吸引剥離ローラ２５を水平移動させて、ドラム１から離すように移動制御手段１９が真空吸引剥離ローラ２５の移動手段を制御する。
【０１９０】
画像記録は、記録紙８を巻き回したドラム１を１分間あたり２０００回転の高速回転をさせながら、レーザーで記録紙８に露光を行うことにより行う。本実施形態において、ドラム１には、ドラム回転方向と平行の記録紙剥離用の溝を設ける必要がないため、高速回転により、記録紙剥離用の溝に空気が入り込んで膨らみを生じることが無く、高速回転であってもドラム周面に巻き回した記録紙の平面性を良好に保つことができ、高品質の画像記録が可能である。
【０１９１】
尚、ドラム回転方向と平行の溝として吸引連結溝がドラム周面に設けられていても、それは吸引孔と吸引孔とを連結し、真空吸引力をドラム周面全体に伝達するための溝であるので、高速回転時にそこに空気が入り込んでも、吸引されてしまうため、膨らみを生じることはなく、高速回転時にドラム周面に巻き回した記録紙の平面性を損なうことはない。そして、画像記録後、画像を記録した記録紙８をドラム１周面から剥離して排出経路へと導く。
【０１９２】
続いて、ドラム１からの記録紙８の剥離開始の機構について、図１６に基づいて説明する。
【０１９３】
画像記録後、記録紙剥離を行う旨の信号を、ドラム回転制御手段（図示せず）が受けると、記録紙８を巻き回した状態で、記録紙先端が位置する先端位置決め溝２が、丁度真空吸引剥離ローラ２５に対向する位置に来るように、ドラム１が回転して停止するように設定されている。これにより剥離時に、記録紙の先端位置決めが安定して行えるようになっている。
【０１９４】
記録紙８先端が位置する先端位置決め溝２が、丁度真空吸引剥離ローラ２５に対向する位置に来るように、ドラム１が回転して停止すると、続いて移動制御手段１９が真空吸引剥離ローラ２５を水平に移動しドラム１に圧着させるように、移動手段を制御する。ドラム周面上の記録紙先端が、真空吸引剥離ローラ２５に対向する位置にあるので、真空吸引剥離ローラ２５をドラム１に圧着させるように水平に移動していくと、ドラム周面上の記録紙先端が真空吸引剥離ローラ２５に接触し圧着される。
【０１９５】
真空吸引剥離ローラ２５が水平移動して記録紙８を圧着した後、ポンプ制御手段２４が、切替え板３１の切替えを制御し、兼用ポンプ２３によって、ドラム１からは送風を、真空吸引剥離ローラ２５は真空吸引を行わせるようにする。
【０１９６】
真空吸引剥離ローラ２５は真空吸引力（図１６において、真空吸引剥離ローラ内の矢印として図示）を有している状態であるので、ドラム周面に巻き回されていた記録紙先端を真空吸引剥離ローラ２５が保持することができる。
【０１９７】
一方、ドラム１からは送風（図１６において、ドラム内の矢印として図示）が行われるので、ドラム１周面に巻き回されていた記録紙８は浮き上がり、記録紙を剥離しやすくなる。（図は、送風の開始時を示しているので、まだ記録紙８がドラム１周面から浮き上がっていない）
真空吸引剥離ローラ２５が記録紙先端を表面に真空吸引力により保持した後、真空吸引剥離ローラ２５を矢印方向に回転させることで、ドラム１からの記録紙の剥離が開始される。また、それに伴いドラム１も矢印方向に回転する。
【０１９８】
続いて、ドラム１からの記録紙８の剥離の機構について、図１７に基づいて説明する。
【０１９９】
真空吸引剥離ローラ２５表面に真空吸引力により、記録紙８先端を保持し、真空吸引剥離ローラ２５が所定角度回転し、おおよそ、記録紙先端が真空吸引剥離ローラ２５の下部に位置したときに、移動制御手段１９が搬送ローラ２１を上方向に移動させ、搬送ローラ２１を真空吸引剥離ローラ２５に圧着させるように制御する。それにより、記録紙８が真空吸引剥離ローラ２５と搬送ローラ２１によって挟持される。
【０２００】
搬送ローラ２１が移動して、真空吸引剥離ローラ２５上の記録紙８に圧着すると、ポンプ制御手段２４が、兼用ポンプ２３の運転を停止するように制御する。すなわち、真空吸引剥離ローラ２５の真空吸引及びドラム１からの送風を停止するように制御するものである。これにより、真空吸引剥離ローラ２５表面の真空吸引力がなくなるため、真空吸引剥離ローラ２５から記録紙８を離しやすくなり、真空吸引剥離ローラ２５と搬送ローラ２１によって挟持して搬送することが可能となる。
【０２０１】
ドラム１が矢印方向に回転し、真空吸引剥離ローラ２５と搬送ローラ２１とが、記録紙８を挟持して矢印方向に回転することで、記録紙８はドラム１周面から剥離され、排出経路へと搬送される。
【０２０２】
ドラム周面１から記録紙８を剥離し終わると、ドラム１、真空吸引剥離ローラ２５、搬送ローラ２１の回転を停止させ、移動制御手段１９は、搬送ローラ２１を下方向に移動させて真空吸引剥離ローラ２５と離し、真空吸引剥離ローラ２５をドラム１から離れた位置まで水平方向に移動させるように制御する。
【０２０３】
以上のような機構で、ドラムからの記録紙の剥離が行われる。
【０２０４】
尚、ポンプを兼用ポンプとせずに、ドラム用ポンプと、真空吸引剥離ローラ用ポンプの２つを設けて、どちらか一方が排気しているときには、他方は吸気するようにポンプ制御手段により制御してもよい。
【０２０５】
又は、ドラム用ポンプと、真空吸引剥離ローラ用ポンプの各々必要なときに吸気と排気を行うようにしてもよい。
【０２０６】
又は、兼用ポンプの切替え板の吸気口及び排気口に開閉制御可能な蓋を設け、ドラムと、真空吸引剥離ローラとで、吸引と送風を排他的に行うのみではなく、一方が、吸引している際に、他方は吸引及び送風を停止するようにできるようにしてもよい。
【０２０７】
これらの構成により、ドラムから記録紙を剥離している最中に、ドラムからは送風し、真空吸引剥離ローラのみ吸引及び送風を停止することが可能となる。
【０２０８】
尚、実施形態４〜６の全てにおいて、剥離ローラ用ポンプ３５とドラム用ポンプ３６とを別に設けている場合、図２１に示すような構成にして、一方のポンプが稼働しているときは、他方のポンプが停止するように制御してもよい。
【０２０９】
尚、本発明を適用できる画像記録装置は、ドラム周面に記録シートを巻き回して画像を記録する画像記録装置なら、全てに適用できる。
【０２１０】
例えば、実施形態にしめした、ドラムに巻き回した印画紙にレーザー露光する画像記録装置や、ドラムに巻き回した感熱紙にレーザー露光する画像記録装置等である。
【０２１１】
【発明の効果】
本発明により、画像記録時等に、記録シートを巻き回したドラムを高速回転させた場合でも、記録シート表面の凹凸の発生、及び記録シートの不用意な浮きを防止し、安定した記録シートのドラムへの固定を実現し、高品質の出力画像を得ることが可能となる。
【０２１２】
また、本発明により、ドラムへの記録シートの供給不良を防止でき、供給を安定して行うことが可能となり、更に、記録シートのドラム周面上での先端位置決めを簡単な構成で確実に実現可能とし、ドラムへの記録シート固定をより確実にすることが可能となる。
【図面の簡単な説明】
【図１】画像記録装置のドラムの斜視図。
【図２】本発明に係るドラム周面の実施形態の１例の展開図。
【図３】本発明に係るドラム周面の実施形態の１例の展開図。
【図４】本発明に係る記録紙を給紙する際に、記録紙が接触するドラム周面位置に設けた、ドラムの柱軸方向の吸引連結溝の実施形態の１例の断面図。
【図５】通常のドラムの柱軸方向の吸引連結溝の断面図である。
【図６】本発明に係る記録紙を給紙する際に、記録紙が接触するドラム周面位置に設けた、ドラムの柱軸方向の吸引連結溝の実施形態の１例の断面図。
【図７】本発明に係るドラム周面の実施形態の１例の展開図。
【図８】本発明に係る記録紙を給紙する際に、記録紙が接触するドラム周面位置に粘着性部材を設けたドラムの断面図。
【図９】ドラムへの給紙の機構の実施形態の１例を示した概略説明図。
【図１０】ドラムからの記録紙の剥離の機構の実施形態の１例を示した概略説明図。
【図１１】本実施形態に係る剥離ローラと剥離ガイドの上面図。
【図１２】ドラムへの給紙の機構の実施形態の１例を示した概略説明図。
【図１３】ドラムからの記録紙の剥離する際の剥離開始の機構を示した概略説明図。
【図１４】ドラムからの記録紙の剥離の機構の実施形態の１例を示した概略説明図。
【図１５】ドラムへの給紙の機構の実施形態の１例を示した概略説明図。
【図１６】ドラムからの記録紙の剥離する際の剥離開始の機構を示した概略説明図。
【図１７】ドラムからの記録紙の剥離の機構の実施形態の１例を示した概略説明図。
【図１８】真空吸引剥離ローラの実施形態の１例の正面図。
【図１９】兼用ポンプの実施形態の１例の概略構成図と兼用ポンプの吸気排気の切替え板の概略図。
【図２０】兼用ポンプの吸気排気を切り換えた状態を示した概略図。
【図２１】ポンプの制御を行うための回路の１例の概略図。
【図２２】本発明に係る画像記録装置の実施形態の１例を示した概略構成図。
【符号の説明】
１  ドラム
２  先端位置決め溝
３  記録紙がドラム周面に接触する部分
４  吸引孔
５Ａ，５Ｂ，５Ｃ，５Ｄ  吸引連結溝
７Ａ，７Ｂ  粘着性部材
８  記録紙
９  剥離ローラ
１０  剥離ガイド
１１  記録紙ガイド
１４  ドラム用ポンプ
１５  剥離ローラ用ポンプ
１６  ポンプ制御手段
１７  移動制御手段
１９  移動制御手段
２０  静電吸着剥離ローラ
２１  搬送ローラ
２２  静電吸着制御手段
２３  ドラム真空吸引剥離ローラ兼用ポンプ
２４  ポンプ制御手段
２５  真空吸引剥離ローラ
３１  切替え板
８１  静電吸着剥離ローラ用ポンプ
【図１】
0003692699.tif 000002
【図２】
0003692699.tif 000003
【図３】
0003692699.tif 000004
【図４】
0003692699.tif 000005
【図５】
0003692699.tif 000006
【図６】
0003692699.tif 000007
【図７】
0003692699.tif 000008
【図８】
0003692699.tif 000009
【図９】
0003692699.tif 000010
【図１０】
0003692699.tif 000011
【図１１】
0003692699.tif 000012
【図１２】
0003692699.tif 000013
【図１３】
0003692699.tif 000014
【図１４】
0003692699.tif 000015
【図１５】
0003692699.tif 000016
【図１６】
0003692699.tif 000017
【図１７】
0003692699.tif 000018
【図１８】
0003692699.tif 000019
【図１９】
0003692699.tif 000020
【図２０】
0003692699.tif 000021
【図２１】
0003692699.tif 000022
【図２２】
0003692699.tif 000023